(57)【特許請求の範囲】
【請求項１】
橋桁の端面が他の橋桁の端面と対向する橋桁端部、又は橋桁の端面が橋台と対向する橋桁端部の電気防食方法であって、
橋桁端部のコンクリートを橋桁の端面近くに埋め込まれている鉄筋が露出するまではつり取るとともに、鉄筋の錆を除去する工程と、
橋桁の伸縮を許容する程度に柔軟に変形する目地材と、帯状又は棒状に形成された陽極部材との間に、該陽極部材の長手方向に沿って連続する間隔保持部材を介挿して、前記陽極部材を前記目地材に取り付ける工程と、
端部をはつり取った前記橋桁の端面と対向する位置に、前記陽極部材が前記鉄筋と非接触となるように、前記目地材を支持する工程と、
前記鉄筋と前記陽極部材との間に直流電圧を印加するための導電線を配置する工程と、
前記橋桁の端面と前記目地材との間にモルタル又はコンクリートを充填する工程と、を含むことを特徴とする橋桁端部の電気防食方法。
【請求項２】
前記間隔保持部材は、絶縁性を有する材料で形成され、断面形状が凹状部を有する溝型となった部材であり、
前記陽極部材を前記目地材に取り付ける工程は、前記凹状部内に前記陽極部材が収容され、前記鉄筋と対向する側に前記凹状部が開放された状態となるように前記間隔保持部材を前記目地材に取り付けることを特徴とする請求項１に記載の橋桁端部の電気防食方法。
【請求項３】
前記間隔保持部材の前記凹状部にモルタルを充填して前記陽極部材を埋め込み、前記モルタルの硬化後に該間隔保持部材を前記目地材に取り付けることを特徴とする請求項２に記載の橋桁端部の電気防食方法。
【請求項４】
前記間隔保持部材は、帯状又は棒状となった前記陽極部材の全周を軸線方向に連続して被覆するモルタルであり、
前記陽極部材は、前記モルタルを前記目地材に当接して取り付けることを特徴とする請求項１に記載の橋桁端部の電気防食方法。
【請求項５】
前記目地材は、板状に形成され、
前記間隔保持部材を該目地材の一方の面に当接して前記陽極部材を取り付けるとともに、他の目地材の一方の面にも前記間隔保持部材を当接して前記陽極部材を取り付けておき、
これら２枚の前記目地材の他方の面を互いに対向させて重ね合わせ、
該目地材を前記橋桁の端面と他の橋桁の端面との間に配置することを特徴とする請求項１から請求項４までのいずれかに記載の橋桁端部の電気防食方法。
【発明の詳細な説明】
【技術分野】
【０００１】
本発明は、コンクリートが劣化した橋桁端部を補修し、電気防食を施す橋桁端部の電気防食方法に関するものである。
【背景技術】
【０００２】
多径間のコンクリート橋における橋桁と橋桁との間、又は橋桁と橋台との間には、温度変化、コンクリートのクリープ及び乾燥収縮等により生じる橋桁の伸縮を許容するための空間すなわち桁遊間が形成されている。桁遊間の上部には、この桁遊間を跨ぐように伸縮装置が設けられ、橋面すなわち車輌等の走行面の連続性を維持し、安全に走行できる状態としている。
伸縮装置には、路面を通行する車両によって繰り返し衝撃が作用し、経年劣化が生じることなどから防水性が失われる場合が多い。伸縮装置の防水性が失われると、雨水等が桁遊間に流入して橋桁の端部が湿潤状態となっている時間が長くなり、鉄筋が腐食し易くなる。そして、鉄筋は腐食によって体積膨張を生じ、かぶり部分のコンクリートが劣化する。
【０００３】
このような橋桁の端部におけるコンクリートの劣化を防止するために電気防食を施すことが知られている。
例えば、特許文献１には、平行に配置された複数のＰＣ桁の端部に電気防食を施す方法が記載されている。この電気防食方法では、複数のＰＣ桁を連結するように設けられた横桁に、橋桁の支間中央側から電極挿入孔を形成し、電気防食用陽極を挿入して埋設する。そして、陽極とＰＣ桁内の鉄筋との間に直流電圧を印加するものである。この電気防食方法では、横桁の支間中央側の面から陽極を埋設するので、橋桁間に十分な作業空間が存在しなくても橋桁端部に電気防食を施すことができる。
【先行技術文献】
【特許文献】
【０００４】
【特許文献１】特開２００９−１７９８７６号公報
【発明の概要】
【発明が解決しようとする課題】
【０００５】
しかしながら、上記のような電気防食方法では、橋桁端部や横桁のコンクリートの桁遊間に面する部分が既に劣化している場合には、劣化部分の補修ができず、別途に桁端の補修を行う必要がある。
【０００６】
本発明は、上記のような事情に鑑みてなされたものであり、その目的は、十分な作業空間が存在しない桁遊間から橋桁端部の劣化したコンクリートを修復するとともに修復後の橋桁端部に電気防食を施すことができる橋桁端部の電気防食方法を提供するものである。
【課題を解決するための手段】
【０００７】
上記課題を解決するために、請求項１に係る発明は、  橋桁の端面が他の橋桁の端面と対向する橋桁端部、又は橋桁の端面が橋台と対向する橋桁端部の電気防食方法であって、  橋桁端部のコンクリートを橋桁の端面近くに埋め込まれている鉄筋が露出するまではつり取るとともに、鉄筋の錆を除去する工程と、  橋桁の伸縮を許容する程度に柔軟に変形する目地材と、帯状又は棒状に形成された陽極部材との間に、該陽極部材の長手方向に沿って連続する間隔保持部材を介挿して、前記陽極部材を前記目地材に取り付ける工程と、  端部をはつり取った前記橋桁の端面と対向する位置に、前記陽極部材が前記鉄筋と非接触となるように、前記目地材を支持する工程と、  前記鉄筋と前記陽極部材との間に直流電圧を印加するための導電線を配置する工程と、  前記橋桁の端面と前記目地材との間にモルタル又はコンクリートを充填する工程と、を含むことを特徴とする橋桁端部の電気防食方法を提供する。
【０００８】
この橋桁端部の電気防食方法では、橋桁と橋桁との間、又は橋桁と橋台との間の狭い空間に、陽極部材を目地材に支持させた状態で配置することができる。つまり、間隔保持部材を陽極部材と目地材との間に介挿した状態で陽極部材を予め目地材に取り付けておき、この目地材を橋桁端部に配置するので、狭い桁遊間内で効率よく正確な位置に陽極部材を配置することが可能となる。そして、目地材と端部がはつり取られた橋桁との間にモルタル又はコンクリートを充填することにより、陽極部材は鉄筋との間にモルタル又はコンクリートを介挿して保持されるとともに、橋桁の端部を所定の寸法に復元し、鉄筋を埋め込むことができる。また、陽極部材も目地材との境界面に露出することなくモルタル又はコンクリート中に埋め込まれる。上記陽極部材と鉄筋との間に直流電圧を印加することにより、陽極部材と鉄筋との間に防食電流が生じ、鉄筋の腐食が抑制される。
一方、橋桁は、温度変化等が生じたときに目地材が変形して伸縮が許容される。
【０００９】
請求項２に係る発明は、請求項１に記載の橋桁端部の電気防食方法において、  前記間隔保持部材は、絶縁性を有する材料で形成され、断面形状が凹状部を有する溝型となった部材であり、  前記陽極部材を前記目地材に取り付ける工程は、前記凹状部内に前記陽極部材が収容され、前記鉄筋と対向する側に前記凹状部が開放された状態となるように前記間隔保持部材を前記目地材に取り付けるものとする。
【００１０】
この橋桁端部の電気防食方法では、陽極部材が目地材との境界面に露出するのを防止するとともに、絶縁性を有する間隔保時部材で目地材側を囲い込むので目地材側への電流の漏洩が抑制される。そして、陽極部材の鉄筋側が開放されているので、鉄筋側に防食電流が効率的に供給される。
【００１１】
請求項３に係る発明は、請求項２に記載の橋桁端部の電気防食方法において、  前記間隔保持部材の前記凹状部にモルタルを充填して前記陽極部材を埋め込み、前記モルタルの硬化後に該間隔保持部材を前記目地材に取り付けるものとする。
【００１２】
この橋桁端部の電気防食方法では、間隔保持部材の凹状部にモルタルを充填して陽極部材を埋め込むので、陽極部材は間隔保持部材と一体となる。これにより、間隔保持部材を介して陽極部材を容易に目地材に取り付けることができる。また、陽極部材は凹状部内で固定支持されるので、目地材を橋桁端部と対向するように配置したときに、鉄筋との間隔を確実に保持することができる。
【００１３】
請求項４に係る発明は、請求項１に記載の橋桁端部の電気防食方法において、  前記間隔保持部材は、帯状又は棒状となった前記陽極部材の全周を軸線方向に連続して被覆するモルタルであり、  前記陽極部材は、前記モルタルを前記目地材に当接して取り付けるものとする。
【００１４】
この橋桁端部の電気防食方法では、陽極部材の全周を被覆するモルタルを目地材に当接して取り付けることにより、モルタルが陽極部材と目地材及び陽極部材と鉄筋との間に介挿されることになる。したがって、陽極部材を鉄筋及び目地材とのそれぞれに所定間隔を設けて容易に配置することができる。
また、陽極部材を被覆するモルタルの厚さにより、陽極部材と鉄筋又は陽極部材と目地材との間隔を決めることができ、正確な位置に陽極部材を配置することができる。
【００１５】
請求項５に係る発明は、請求項１から請求項４までのいずれかに記載の橋桁端部の電気防食方法において、  前記目地材は、板状に形成され、  前記間隔保持部材を該目地材の一方の面に当接して前記陽極部材を取り付けるとともに、他の目地材の一方の面にも前記間隔保持部材を当接して前記陽極部材を取り付けておき、  これら２枚の前記目地材の他方の面を互いに対向させて重ね合わせ、  該目地材を前記橋桁の端面と他の橋桁の端面との間に配置するものとする。
【００１６】
この橋桁端部の電気防食方法では、目地材のそれぞれに陽極部材を効率よく取り付けることができる。また、２枚の目地材は、橋桁が伸長したときは圧縮変形が生じて橋桁の伸長を許容する。一方、橋桁が収縮したとき、特に橋桁と橋桁との間隔が大きく拡大するような場合には、２枚の目地材の間が離隔されて、２枚の目地材のそれぞれが橋桁端部に保持された状態で橋桁の収縮を許容することができる。
【発明の効果】
【００１７】
以上説明したように、この橋桁端部の電気防食方法では、十分な作業空間が存在しない橋桁間又は橋桁と橋台との間で、橋桁端部を修復するとともに電気防食を効率的に施すことが可能となる。
【図面の簡単な説明】
【００１８】
【図１】本発明に係る橋桁端部の電気防食方法を適用することができる橋桁の一例を示す側面図及び断面図である。
【図２】図１に示す橋桁の端部を示す縦断面図である。
【図３】本発明に係る橋桁端部の電気防食方法の工程を示す概略図である。
【図４】本発明に係る橋桁端部の電気防食方法の工程を示す概略図である。
【図５】間隔保持部材の凹状部にチタンメッシュが収容された状態を示す概略斜視図である。
【図６】図５に示す間隔保持部材を目地材に取り付けた状態を示す概略断面図である。
【図７】図５に示す間隔保持部材が取り付けられ、橋桁と橋桁との間に配置された目地材を示す正面図である。
【図８】凹状部内に充填したモルタルによってチタンメッシュを埋め込んだ間隔保持部材が目地材に取り付けられた状態を示す概略断面図である。
【図９】本発明の他の実施形態である橋桁端部の電気防食方法において、チタンメッシュを目地材に取り付けた状態を示す概略断面図である。
【図１０】モルタルで形成された間隔保持部材の他の例を示す概略断面図である。
【図１１】間隔保持部材及びチタンメッシュを取り付ける方法の他の例を示す概略断面図である。
【発明を実施するための形態】
【００１９】
以下、本発明に係る橋桁端部の電気防食方法の実施の形態を図に基づいて説明する。
図１は、本発明に係る橋桁端部の電気防食方法を適用することができる橋桁の一例を示す概略側面図及び横断面図である。図２は、図１に示す橋桁の端部を示す縦断面図である。
この橋桁１，２は、図１に示すように、橋脚３と橋脚４との間及び橋脚３，４と橋台５，６との間に架け渡されたものであり、プレストレストコンクリートからなる複数の主桁１０をほぼ平行に配列して形成されている。主桁１０の断面形状はほぼＴ型となっており、隣り合う主桁１０の上床版部１０ａの間にコンクリート１１が現場打設されて、連続するコンクリート床版が形成されている。この上面に舗装１６が施され、路面が形成される。
上記主桁１０の端部には、図２に示すように横桁１２が設けられ、複数の主桁１０が一体となっており、これらが支承１３によって橋脚３，４又は橋台５，６の上に支持されている。
【００２０】
本実施の形態においては、上記橋桁１，２は単純支持されたものであり、これらの橋桁の一方の端部は該橋桁の軸線方向の移動が固定され、他方の端部は移動が許容されるものである。したがって、同一の橋脚３の上に支持された橋桁の端部は、一方が固定され他方は移動が許容されるものとなっている。これらの橋桁１，２の端面間には、橋桁の伸縮量に応じて桁遊間１４が形成されている。そして、桁遊間１４の上方には橋桁間を跨ぐように伸縮装置１５が設けられるとともに、橋桁１，２上に舗装１６が敷設され、連続した路面が形成されている。
なお、同一の橋脚の上に支持される２つの橋桁がいずれも移動を許容するように支持されるものとしてもよいし、双方を固定するものであってもよい。双方を固定するものでも、回転方向の変位を許容するように同様に桁遊間が設けられる。
【００２１】
上記のような橋桁１，２の端部は、端面付近に埋め込まれた鉄筋の腐食が生じ易く、コンクリートが劣化しているものがある。このような橋桁の端部を修復し、修復後における鉄筋の電気防食を施す方法について次に説明する。
【００２２】
まず、図３（ａ）に示すように、高圧水噴流（ウォータジェット）をノズル２１から橋桁１，２の端部の劣化したコンクリートに向けて噴射し、コンクリート内に配設されている鉄筋１７が露出するまでコンクリートをはつり取る。また、ウォータジェットを上記鉄筋１７にも噴きつけて健全な部分を露出させ、鉄筋の表面に生じた錆を除去する。
【００２３】
その後、図３（ｂ）に示すようにコンクリートをはつり取った部分の底部に型枠２２を設ける。この型枠２２は、端面が対向する双方の橋桁１，２間に連続するように設ける。そして、予め目地材２５に陽極部材であるチタンメッシュ２３，２４を間隔保持部材２６，２７を介して取り付けておき、この目地材２５を２つの橋桁１，２間に上方から降下させるようにして配置する。
【００２４】
上記チタンメッシュ２３，２４は、チタンを主成分とする帯状に長く形成された網状の部材であり、図５に示すように、上記間隔保持部材２６，２７に形成された凹状部２６ａ，２７ａ内に収容した状態で目地材２５に取り付ける。
【００２５】
上記間隔保持部材２６，２７は絶縁性の材料、例えば合成樹脂から形成されており、断面形状が円形、楕円形、矩形、長円形、又はこれらを複合した形状の一部を切り欠いてほぼＣの字状となっており、一部が軸線方向に切り欠かれることによって円形、楕円形、長円形等の内側が溝状となり、凹状部２６ａ，２７ａが形成されている。この凹状部２６ａ，２７ａ内にチタンメッシュ２３，２４を収容して目地材２５に取り付けるものである。
なお、間隔保持部材の開放された領域の幅は、チタンメッシュ２３，２４の幅よりも狭く形成されており、チタンメッシュ２３，２４が脱落し難くなっている。
【００２６】
上記目地材２５は、橋桁１，２の伸縮を許容する程度に柔軟に変形する素材、例えば合成樹脂やゴムを発泡させたもの、又はアスファルトコンパウンドに繊維質材料等を混合したエラスタイト等が用いられ、板状に成形したものである。
この目地材２５は２枚を重ね合わせたものであり、それぞれの目地材の一方の表面にチタンメッシュ２３，２４を収容した間隔保持部材２６，２７を取り付ける。
【００２７】
上記間隔保持部材２６，２７は、図６に示すように、凹状部２６ａ，２７ａ内にチタンメッシュ２３，２４を収容し、背面つまり断面が開放されていない部分を目地材２５に当接させ、凹状部２６ａ，２７ａの開放された領域が鉄筋側となるように取り付ける。これにより、凹状部２６ａ，２７ａの開放された領域を介してチタンメッシュ２３，２４が鉄筋１７と間隔を設けて対向する。一方、チタンメッシュ２３，２４の目地材側は、間隔保持部材２６，２７に囲われる。
上記間隔保持部材２６，２７の目地材２５への取り付けは、図６に示すように、目地材２５を貫通する結束線３２ａ，３２ｂによって行う。つまり、目地材２５ａ，２５ｂの間隔保持部材２６，２７が当接される位置付近に結束線３２ａ，３２ｂを貫通させ、間隔保持部材２６，２７に巻き回して結束する。なお、上記結束線３２は、非導電性で錆が生じない材料、例えば合成樹脂からなるもの等を用いるのが望ましい。
【００２８】
このように一方の表面にチタンメッシュ２３，２４を収容した間隔保持部材２６，２７が取り付けられた２枚の目地材２５ａ，２５ｂを、間隔保持部材が取り付けられていない面を対向させて重ね合わせる。このように重ね合わせた状態で吊り上げ、橋桁１，２間の上方からゆっくりと下降させて型枠２２上に支持させ、橋桁１，２間の空間における所定の位置に支持する。これにより、間隔保持部材の凹状部２６ａ，２７ａに収容されたチタンメッシュ２３，２４は、間隔を設けて鉄筋１７と対向するとともに目地材側が絶縁性の間隔保持部材２６，２７で囲まれた状態で配置される。
【００２９】
なお、本実施の形態では、間隔保持部材２６，２７の凹状部内にチタンメッシュ２３，２４を収容しておき、この間隔保持部材２６，２７を目地材２５に取り付けたが、目地材２５に間隔保持部材２６，２７を取り付けた後、凹状部２６ａ，２７ａ内にチタンメッシュ２３，２４を挿入してもよいし、間隔保持部材２６，２７が取り付けられた目地材２５を橋桁１，２間の所定の位置に支持した後に、間隔保持部材２６，２７の上方からチタンメッシュ２３，２４を凹状部内に差し入れてもよい。
【００３０】
また、本実施の形態では、図７に示すように、目地材２５は橋桁１，２の幅方向（幅員）に配列された６つの部分に分割されており、これらを順次に橋桁１，２間に配置する。これら分割された目地材２５のそれぞれに取り付けられているチタンメッシュ２３，２４は、帯状となったものを橋桁端面の鉛直方向に取り付け、橋桁１，２の幅方向に所定の間隔で配列したが、配置する方向、本数、間隔は鉄筋へ流入させる防食電流の強さ等に基づいて適宜に決定することができる。
さらに、本実施の形態では、目地材２５として厚さ約２５ｍｍのエラスタイトを２枚背中合わせにして使用したが、厚さは桁遊間の大きさに応じて決定することができ、合成樹脂、合成ゴム等の他の材料を用いることもできる。
【００３１】
このように、目地材２５を橋桁１，２間の所定の位置に配置すると、図７に示すように橋桁間の側部に型枠２８を設けるとともに、チタンメッシュ２３と橋桁端部の鉄筋１７とにそれぞれ導電線３３，３４を接続し、これらを型枠２８の外側に引き出しておく。そして、図４（ａ）に示すように、橋桁間の上方よりモルタルを流し込み、端部がはつり取られた橋桁１，２と目地材２５との間にモルタルを充填する。
モルタルが硬化すると、底型枠２２及び側部の型枠２８を撤去し、図４（ｂ）に示すようにチタンメッシュ２３，２４と鉄筋１７に接続した導電線３３，３４を電源装置３５に接続する。また、橋桁１，２間の上部に伸縮装置１５を取り付け、舗装１６を復元して橋桁端部の修復及び電気防食を施す工事を終了する。
【００３２】
上記電源装置３５は、チタンメッシュ２３，２４と鉄筋１７との間に直流電流を印加するものである。つまり、外部電流方式の電気防食を施すものであり、電源装置３５と陽極部材であるチタンメッシュ２３，２４と防食する橋桁内の鉄筋１７とを含む電気回路を形成し、防食電流をチタンメッシュ２３，２４から鉄筋１７へ流入させることにより、鉄筋の腐食を防止するものである。
なお、電源装置として太陽光で発電するものを用いることもできる。
【００３３】
上記伸縮装置１５は、鋼部材に支持されたゴム材を用いるもの、鋼からなるフィンガージョイント等、桁遊間の伸縮量に応じて公知のものを用いることができる。
【００３４】
以上説明したように、陽極となるチタンメッシュ２３，２４が予め目地材２５に取り付けられた状態で橋桁１，２間に配置されるので、作業空間がきわめて狭い橋桁１，２間で、橋桁１，２の端部を修復するともに、電気防食を施すことが可能となる。
また、絶縁性の間隔保持部材２６，２７がチタンメッシュ２３，２４の目地材２５側を連続して囲んでいるので、防食電気を効率よく鉄筋１７側に流すことができ、電気防食の効果を増大させることができる。
さらに、橋桁１，２の伸縮を許容する目地材２５ａ，２５ｂを２枚重ね合わせて配置するので、橋桁１，２が伸長したときは目地材２５ａ，２５ｂに圧縮変形が生じて橋桁の伸長を許容し、橋桁が収縮したときには２枚の目地材２５ａ，２５ｂの間が離隔されて、２枚の目地材２５ａ，２５ｂのそれぞれが橋桁端部又は橋台に保持された状態で橋桁の収縮を許容することができる。
【００３５】
なお、本実施の形態では、チタンメッシュ２３，２４を間隔保持部材の凹状部２６ａ，２７ａ内に収容するものであるが、図８に示すように、間隔保持部材の凹状部２６ａ，２７ａにモルタル３１を充填してチタンメッシュ２３，２４と間隔保持部材２６，２７とを一体としておくこともできる。
このように、チタンメッシュ２３，２４と間隔保持部材２６，２７とを一体に製作しておくことにより、目地材２５へのチタンメッシュ２３，２４の取り付けが容易になるとともに、チタンメッシュ２３，２４を正確に配置することができる。
【００３６】
また、図９に示すように間隔保持部材をモルタルで形成することもできる。
この間隔保持部材４６，４７は、チタンメッシュ２３，２４を埋め込むように成形され、硬化したモルタルからなるものである。このモルタルからなる間隔保持部材４６，４７はチタンメッシュ２３，２４の全周を被覆し、軸線方向に連続するように形成されている。モルタルの断面は、円形、楕円形、長方形等とすることができ、図１０に示すように、２つの半円の間に直線部分を有する長円形や、断面が直線と凸状の曲線とを有するもの等を採用することもできる。
これらの間隔保持部材４６，４７は、例えば、型枠内にモルタルを充填するともに、モルタル内にチタンメッシュ２３，２４を埋め込み、モルタルの硬化後に脱型して形成することができる。
【００３７】
このような間隔保持部材４６，４７はチタンメッシュ２３，２４と予め一体に形成されており、モルタル（間隔保持部材）を目地材２５に当接して取り付けることができる。そして、目地材２５と橋桁１，２の端面との間に充填されるモルタル又はコンクリートに埋め込まれることにより、目地材側ではチタンメッシュ２３，２４が目地材２５との境界面に露出しないようにモルタルで被覆される。また、橋桁１，２に配置されている鉄筋１７と接触しないように間隔を保持するとともに、間隔保持部材４６，４７であるモルタルを介して防食電流が生じるのを許容する。
【００３８】
このようにチタンメッシュ２３，２４を埋め込んだモルタルからなる間隔保持部材４６，４７の目地材２５ａ，２５ｂへの取り付けは、図６又は図８に示す間隔保持部材２６，２７と同様に行うことができる。つまり、目地材２５ａ，２５ｂの表面に間隔保持部材４６，４７がそれぞれ当接される位置付近に結束線４２ａ，４２ｂを貫通させ、間隔保持部材４６，４７に巻き回して結束する。また、エポキシ樹脂等の接着剤を用いて取り付けることもできる。
【００３９】
なお、本発明の橋桁端部の電気防食方法は、以上に説明した実施の形態に限定されるものではなく、本発明の範囲内で他の形態として実施することもできる。
例えば、上記目地材２５ａ，２５ｂは２枚を背中合わせにして橋桁１，２間に配置したが、上記目地材２５ａ，２５ｂに代えて、図１１に示すように、１枚の目地材５１の両面に間隔保持部材５５，５６を介して陽極部材であるチタンメッシュ５２，５３を取り付け、これを橋桁１，２間に配置することもできる。
１枚の目地材５１を配置する場合は、桁遊間の大きさに応じて厚さが大きい目地材を用い、目地材の一方の面から他方の面まで貫通する結束線５４でチタンメッシュ５２を収容した間隔保持部材５５を目地材５１の一方の面に取り付ける。また、他方の表面には、同様に結束線を用いても良いが、チタンメッシュ５３を収容した間隔保持部材５６を目地材５１に接着して取り付けるのが望ましい。この接着には、例えばエポキシ樹脂等の接着剤を用いることができる。
【００４０】
このように、チタンメッシュ５２，５３を収容した間隔保持部材５５，５６が取り付けられた目地材５１を用いると、橋桁１，２の収縮量が大きくなったときに、目地材５１は一方の橋桁１に付着して保持されるともに、他方の橋桁２に埋め込まれて目地材５１に接着されていた間隔保持部材５６が目地材５１から剥離され、目地材５１と橋桁２とが離隔されて橋桁１，２の大きな収縮量を許容する。
【００４１】
また、図７に示す実施の形態では、施工の便宜のために、目地材２５を橋桁１，２の幅方向（幅員方向）に６分割して配置したが、橋桁の幅員が小さいときには分割しなくてもよいし、分割するときには作業の効率等を考慮して分割数を設定することができる。
目地材２５，５１に間隔保持部材２６，２７，４６，４７，５５，５６を取り付ける方法として、上記実施の形態では結束線３２，４２，５４を用いて結束する方法、接着剤で接着する方法を採用したが、これらに限定されるものではなく、適宜に他の方法を採用することもできる。
【００４２】
上記実施の形態では、陽極部材としてチタンメッシュが用いられているが、チタンメッシュに限定されるものではなく、チタンの帯状となった板材、棒状材等を用いることもできる。材質はチタンが望ましいが、腐食することなく陽極として機能する材料であれば使用することができる。
【００４３】
一方、上記実施の形態では、プレストレストコンクリートの主桁１０を複数並べた橋桁の端部を修復し、電気防食を施すものであったが、断面形状はこれに限定されるものではなく箱形の断面の橋桁、穴あきスラブ（いわゆるホロースラブ）からなる橋桁等に適用することができる。また、鉄筋コンクリートの橋桁、コンクリートと鋼部材との複合桁等に適用することもできる。さらに、上記実施の形態では、橋脚上で橋桁の端面と隣接する橋桁の端面とが対向する部分で、修復及び電気防食を行うものであったが、橋桁の端面と橋台とが対向する部分にも同様に適用することができる。このときには、目地材の一方の面のみに陽極部材を取り付けておき、他方の面を橋台の立面に接触させて目地材を配置するものとなる。  
【符号の説明】
【００４４】
１，２：橋桁、    ３，４：橋脚、    ５，６：橋台、    
１０：主桁、    １１：現場打設するコンクリート、    １２：横桁、    １３：支承、    １４：桁遊間、    １５：伸縮装置、    １６：舗装、    １７：鉄筋、    
２１：ノズル、    ２２：型枠、    ２３，２４：チタンメッシュ（陽極部材）、    ２５：目地材、    ２６，２７：間隔保持部材、    ２８：側型枠、    
３１：モルタル、    ３２：結束線、    ３３，３４：導電線、    ３５：電源装置、
４２：結束線、      ４６，４７：間隔保持部材、    
５１：目地材、    ５２，５３：チタンメッシュ（陽極部材）、    ５４：結束線、    ５５，５６：間隔保持部材、  
【図１】
0005798877.tif 000002
【図２】
0005798877.tif 000003
【図３】
0005798877.tif 000004
【図４】
0005798877.tif 000005
【図５】
0005798877.tif 000006
【図６】
0005798877.tif 000007
【図７】
0005798877.tif 000008
【図８】
0005798877.tif 000009
【図９】
0005798877.tif 000010
【図１０】
0005798877.tif 000011
【図１１】
0005798877.tif 000012